(57)【特許請求の範囲】
【請求項１】
前輪で支持した走行機体と，この走行機体の後部の後車軸ケースにおける後車軸に取付けた駆動輪体と，この駆動輪体の下方に配設したトラックフレームと，このトラックフレームにおける前後に取付けた前従動輪体及び後従動輪体とを備え，前記駆動輪体，前従動輪体及び後従動輪体に無端帯状体を巻掛けして成る後輪用クローラ走行装置において，
前記トラックフレームは，前記後車軸ケースを含む走行機体に，前記後車軸よりも前側に配設した前リンク部材と，前記後車軸よりも後側に配設した後リンク部材とによって，前後移動可能に連結されており，前記前リンク部材は，その下端枢着軸が上端枢着軸よりも前側に位置するように前方斜め下向きに傾斜している一方，前記後リンク部材は，その下端枢着軸が上端枢着軸よりも後側に位置するように後方斜め下向きに傾斜していることを特徴とする走行車両における後輪用クローラ走行装置。
【請求項２】
前記請求項１の記載において，前記後リンク部材における下端枢着軸は，前記後従動輪体における前記トラックフレームへの支持軸にて構成されていることを特徴とする走行車両における後輪用クローラ走行装置。
【請求項３】
前記請求項１又は２の記載において，前記走行機体と，前記トラックフレームとの間には，前記トラックフレームにおける前後移動を所定の距離に規制するための規制手段が設けられていることを特徴とする走行車両における後輪用クローラ走行装置。
【請求項４】
前記請求項１〜３のいずれかの記載において，前記前リンク部材における上端枢着軸及び前記後リンク部材における上端枢着軸のうちいずれか一方又は両方は，前記走行機体に前記後車軸と平行に延びるように配設したトーション軸にて構成されていることを特徴とする走行車両における後輪用クローラ走行装置。
【発明の詳細な説明】
【技術分野】
【０００１】
本発明は，トラクタ等の走行車両において，その左右の後輪に使用するクローラ走行装置に関するものである。
【背景技術】
【０００２】
トラクタ等の走行車両における左右の後輪に，クローラ走行装置を適用すること，つまり，走行車両における後輪を，クローラ走行装置に構成することは，先行技術としての特許文献１〜３等に記載されている。
【０００３】
この先行技術における後輪用クローラ走行装置（ハーフクローラ走行装置）は，図８に示すように，走行機体１における後車軸ケース２に軸支した後車軸３に駆動輪体４を取付ける一方，前記後車軸ケース２よりも下方の部位に前後方向に延びる構成のトラックフレーム５を配設して，このトラックフレーム５における前後方向の略中程部を，前記後車軸ケース２等の走行機体１側に，前記後車軸３より適宜距離Ｒだけ下方の部位に配設した揺動支点軸６にて回動自在に枢着して，当該トラックフレーム５をその前部及び後部が互いに逆方向に上下動するように構成し，このトラックフレーム５の前端に設けた前従動輪体７と，後端に設けた後従動輪体８と，前記駆動輪体４との三者にわたって略三角形状に無端帯状体９を巻掛けし，この無端帯状体９を，前記駆動輪体４にて回転することによって，走行機体１の前進走行又は後退走行を行なうという構成にしている。
【先行技術文献】
【特許文献】
【０００４】
【特許文献１】特開平０８−０４５０５１号公報
【特許文献２】特開２００４−０１７７８８号公報
【特許文献１】特開２００４−０１７７８９号公報
【発明の概要】
【発明が解決しようとする課題】
【０００５】
前記先行技術は，クローラ走行装置におけるトラックフレーム５の走行機体側への枢着点である揺動支点軸６を，前記走行機体のうち後車軸２の下方の部位に位置するという構成であることにより，前記トラックフレーム５は，図８に示すように，前進走行のときに，地面からの前進反力Ｐｆにて揺動支点軸６を中心に時計方向に回動して前上がりに傾斜するから，前進走行の際に所定の牽引力を得ることができる。
【０００６】
また，前記トラックフレーム５は，図８に示すように，後退走行のときに，地面からの後退反力Ｐｂにて揺動支点軸６を中心に反時計方向に回動して後ろ上がりに傾斜するから，後退走行の際に所定の牽引力を確実に得ることができる。
【０００７】
しかし，その反面，前記走行機体１は，その前部が上下動するようにピッチングするとき，地面に無端帯状体９を介して接地するトラックフレーム５に対して，当該トラックフレーム５との枢着点である揺動支点軸６を中心として，前上がりに傾斜するか，或いは前下りに傾斜するように回動するから，以下に述べるような問題がある。
【０００８】
すなわち，前記走行機体１における後車軸ケース２及び後車軸３は，前記走行機体１が，前記揺動支点軸６を中心として適宜の単位角度θ１（図８の図面上で，例えば，θ１＝１５度）だけ前上がりに傾斜回動したとき，前記揺動支点軸６，ひいては，前記トラックフレーム５に対して後方向にＬ１の距離だけ移動する一方，前記揺動支点軸６を中心として適宜の単位角度θ２（図８の図面上で，例えば，θ２＝１５度）だけ前下りに傾斜回動したとき，前記揺動支点軸６，ひいては，前記トラックフレーム５に対して前方向にＬ２の距離だけ移動する。
【０００９】
このピッチングの際における前記トラックフレーム５に対する走行機体１の後方向への移動距離Ｌ１及び前方向への移動距離Ｌ２は，前記揺動支点軸６から後車軸３までの高さ方向の距離Ｒに比例して大きくなるものであり，換言すると，前記走行機体１のピッチングの際に，接地しているトラックフレームに対して前後移動する距離は，当該走行機体１に対するトラックフレーム５の揺動支点軸６を走行機体１のうち後車軸３の下方の部位に位置したことによって，高さ方向の距離Ｒが大きい分だけ大きくなるから，ひいては，乗り心地が著しく悪いのであった。
【００１０】
しかも，前記トラックフレーム５の走行機体１への支持が，前記揺動支点軸６による一点支持であるに過ぎず，この揺動支点軸６の部分に荷重が集中するから，このことが，後輪用クローラ走行装置を大型化することの妨げになっているばかりか，前記揺動支点軸６の部分に捩じれ変形等による作動不良が発生するおそれが大きいという問題もあった。
【００１１】
本発明は，これらの問題を解消した後輪用クローラ走行装置（ハーフクローラ走行装置）を提供することを技術的課題としている。
【課題を解決するための手段】
【００１２】
この技術的課題を達成するため請求項１は，
「前輪で支持した走行機体と，この走行機体の後部の後車軸ケースにおける後車軸に取付けた駆動輪体と，この駆動輪体の下方に配設したトラックフレームと，このトラックフレームにおける前後に取付けた前従動輪体及び後従動輪体とを備え，前記駆動輪体，前従動輪体及び後従動輪体に無端帯状体を巻掛けして成る後輪用クローラ走行装置において，
前記トラックフレームは，前記後車軸ケースを含む走行機体に，前記後車軸よりも前側に配設した前リンク部材と，前記後車軸よりも後側に配設した後リンク部材とによって，前後移動可能に連結されており，前記前リンク部材は，その下端枢着軸が上端枢着軸よりも前側に位置するように前方斜め下向きに傾斜している一方，前記後リンク部材は，その下端枢着軸が上端枢着軸よりも後側に位置するように後方斜め下向きに傾斜している。」
ことを特徴としている。
【００１３】
また，請求項２は，
「前記請求項１の記載において，前記後リンク部材における下端枢着軸は，前記後従動輪体における前記トラックフレームへの支持軸にて構成されている。」
ことを特徴としている。
【００１４】
更にまた請求項３は，
「前記請求項１又は２の記載において，前記走行機体と，前記トラックフレームとの間には，前記トラックフレームにおける前後移動を所定の距離に規制するための規制手段が設けられている。」
ことを特徴としている。
【００１５】
これに加え，請求項４は，
「前記請求項１〜３のいずれかの記載において，前記前リンク部材における上端枢着軸及び前記後リンク部材における上端枢着軸のうちいずれか一方又は両方は，前記走行機体に前記後車軸と平行に延びるように配設したトーション軸にて構成されている。」
ことを特徴としている。
【発明の効果】
【００１６】
請求項１の記載において，走行機体に前後一対のリンク部材にて連結されたトラックフレームは，前進走行の際には地面から受ける前進反力によって，走行機体に対して前方向に移動し，後退走行の際には地面から受ける後退反力によって，走行機体に対して後ろ方向に移動する。
【００１７】
前記トラックフレームが走行機体に対して前方向に移動するとき，前記前後一対のリンク部材のうち前リンク部材は，その上端枢着軸を支点（中心）として水平面からの傾斜角度が小さくなるように回動する一方，後リンク部材は，その上端枢着軸を支点（中心）として水平面からの傾斜角度が大きくなるように回動することにより，前記トラックフレームは，前上がりに傾斜する。
【００１８】
また，トラックフレームが走行機体に対して後方向に移動するとき，前記前後一対のリンク部材のうち前リンク部材は，その上端枢着軸を支点（中心）として水平面からの傾斜角度が大きくなるように回動し，後リンク部材は，その上端枢着軸を支点（中心）として水平面からの傾斜角度が小さくなるように回動することにより，前記トラックフレームは，後上がりに傾斜する。
【００１９】
これにより，前記トラックフレームは，前記走行機体に対して，前進走行の際には前上がりに傾斜し，後退走行の際には後上がりに傾斜するものでありながら，前記走行機体に対して前後一対のリンク部材にて支持されていることにより，荷重を二箇所に分散できるから，後輪用クローラ走行装置の大型化を図ることができるとともに，その支持に捩じれ変形等による作動不良が発生するおそれを確実に低減できる。
【００２０】
そして，前記走行機体のピッチングに際して，前記走行機体が，その前部が下がるようにピッチングした場合，前記前後一対のリンク部材のうち前リンク部材は，地面に接地している前記トラックフレームに対して，当該前リンク部材における下端枢着軸を支点（中心）として水平面からの傾斜角度が小さくなるように回動する一方，後リンク部材は，前記トラックフレームに対して，当該後リンク部材における下端枢着軸を支点（中心）として水平面からの傾斜角度が大きくなるように回動する。
【００２１】
また，前記走行機体が，その前部が上がるようにピッチングした場合，前記前後一対のリンク部材のうち前リンク部材は，地面に接地している前記トラックフレームに対して，当該前リンク部材における下端枢着軸を支点（中心）として水平面からの傾斜角度が大きくなるように回動する一方，後リンク部材は，前記トラックフレームに対して，当該後リンク部材における下端枢着軸を支点（中心）として水平面からの傾斜角度が小さくなるように回動する。
【００２２】
ところで，前記走行機体のうち両リンク部材の上端枢着軸間の部分と，前記前後一対のリンク部材と，前記トラックフレームとによって構成されるリンク機構のうち，前記トラックフレームが前後方向に移動するときにおける「瞬間中心」は，前記両リンク部材における延長線が互いに交わる交点に位置していることにより，前記トラックフレームは，この「瞬間中心」を中心として前後方向に回動するように運動する。
【００２３】
この場合，前記前後一対のリンク部材は，そのリンク部材が，その下端枢着軸が上端枢着軸よりも前側に位置するように前方斜め下向きに傾斜し，後リンク部材が，その下端枢着軸が上端枢着軸よりも後側に位置するように後方斜め下向きに傾斜するというようにハ字状の配設されていることにより，これら両リンク部材における延長線が互いに交わる交点である「瞬間中心」は，前記後車軸の高さに近似した高さの位置に保持することができる。
【００２４】
これにより，前記走行機体がピッチングする際に，当該走行機体が接地するトラックフレームに対して前後移動する距離は，前記先行技術のように，後車軸よりも下方に位置する揺動支点軸を中心に回動する場合よりも，大幅に小さくなるから，乗り心地が良くなり，作業性を向上できる。
【００２５】
また，請求項２によると，前記両リンク部材のうち後リンク部材における下端枢着軸を，後従動輪体の支持軸にて兼用できるから，構造の簡単化及び軽量化を図ることができる。
【００２６】
更にまた，請求項３によると，走行機体とトラックフレームのとの間における相対的な移動距離を，所定距離に規制することができるから，安全性を確保できる。
【００２７】
特に，請求項４によると，トラックフレームを走行機体に対して，簡単な構成のトーション軸によって，独立懸架に支持することができる。
【図面の簡単な説明】
【００２８】
【図１】本発明の実施の形態によるトラクタの側面図である。
【図２】図１の底面図である。
【図３】図１のうち後輪用クローラ走行装置の拡大図である。
【図４】図３のIV−IV視断面図である。
【図５】図３のＶ−Ｖ視断面図である。
【図６】走行機体が前下りにピッチングときの状態を示す図である。
【図７】走行機体が前上りにピッチングときの状態を示す図である。
【図８】従来における後輪用クローラ走行装置を示す図である。
【発明を実施するための形態】
【００２９】
以下，本発明の実施の形態を，トラックに適用した場合の図面（図１〜図７）について説明する。
【００３０】
これらの図において，符号１０は，トラクタを示しており，このトラクタ１０は，走行機体１１と，この走行機体１１の前部を支持する左右一対の前輪１２と，前記走行機体１１の後部を支持する左右一対の後輪用クローラ走行装置１３とによって構成されており，前記走行機体１１には，エンジンが搭載されているほか，操縦座席が設けられいる。
【００３１】
前記クローラ走行装置１３は，前記走行機体１１の後部における後車軸ケース１４と，この後車軸ケース１４に軸支した後車軸１５とに対して，着脱可能に取付けられており，前記後車軸１５に駆動輪体１６を取付ける一方，前記後車軸ケース１４よりも下方の部位には，前後方向に延びる構成にしたトラックフレーム１７を配設して，このトラックフレーム１７を，前記後車軸ケース１４に一体に設けた取付けフランジ部１８に対して，前記後車軸１５よりも前側に配設した前リンク部材１９と，前記後車軸１５よりも後側に配設した後リンク部材２０とによって，前後移動可能に連結している。
【００３２】
前記トラックフレーム１７には，その前端に前従動輪体２１がテンション調節機構２２を介して取付けられ，その後端に後従動輪体２３がその支持軸２４にて取付けられており，前記駆動輪体１６と，前記前従動輪体２１と，前記後従動輪体２３との三者には，クローラ又はキャタピラ等の無端帯状体２５を，略三角形状にわたって巻掛けして，この無端帯状体２５を，前記駆動輪体１６，ひいては前記後車軸１５にて適宜速度で正回転又は逆回転することによって，走行機体１１の前進走行又は後退走行を行なうという構成になっている。
【００３３】
なお，前記トラックフレーム１７には，前記無端帯状体２５における内周面のうち前記前従動輪体２１と後従動輪体２３との間の部分に接触する転動輪２６の複数個が回転自在に設けられている。
【００３４】
前記後車軸ケース１４の下側には，後述する前リンク部材１９及び後リンク部材２０における上端枢着軸を構成する前後一対のトーション軸２７，２８を，前記後車軸１５と平行に延びるように配設して，図４に示すように，その一端を走行機体１１側のボス部２９等に対して回動不能に固着する一方，その他端を前記後車軸ケース１４に一体に設けた取付けフランジ部１８等にて回転自在に軸支している。
【００３５】
前記両トーション軸２７，２８のうち前側のトーション軸２７における外側端に，前記前リンク部材１９における上端を回動不能に固着する一方，前記両トーション軸２７，２８のうち後側のトーション軸２８における外側端に，前記後リンク部材２０における上端を回動不能に固着している。つまり，前記両トーション軸２７，２８は，前記両リンク部材１９，２０における上端枢着軸を構成している。
【００３６】
換言すると，前記トーション軸２７，２８は，前記両リンク部材１９，２０の回動により，その走行機体１１側のボス部２９に固着した部分と，取付けフランジ部１８等にて回転自在に軸支した部分との間において，弾性的に捩じれ変形するという構成になっている。
【００３７】
前記前後一対の両リンク部材１９，２０のうち前リンク部材１９は，その下端が前記トラックフレーム１７に下端枢着軸３０にて回転自在に連結され，その下端枢着軸３０が上端における前トーション軸２７（上端枢着軸）よりも前側に位置するように前方斜め下向きに傾斜している。
【００３８】
また，前記前後一対の両リンク部材１９，２０のうち後リンク部材２０における下端は，前記トラックフレーム１７における後従動輪体２３の支持軸２４に回転自在に連結されている。つまり，前記後従動輪体２３の支持軸２４は，前記後リンク部材２０の下端における下端枢着軸を構成している。
【００３９】
更に，前記後リンク部材２０は，その下端における支持軸２４（下端枢着軸）が上端における後トーション軸２８（上端枢着軸）よりも後側に位置するように後方斜め下向きに傾斜しており，これにより，前記前後一対の両リンク部材１９，２０は，前記トラクタ１０における側面視（図１，図２）において，互いに下広がりのハ字状の配設になっている。
【００４０】
前記クローラ走行装置１３は，前記トラクタ１０における側面視（図１，図３）において，前記後車軸１５を通る鉛直線３１から前従動輪体２１までの距離Ｓ１が，前記鉛直線３１から後従動輪体２３までの距離Ｓ２よりも大きい略三角形に構成されている。
【００４１】
この構成において，クローラ走行装置１３におけるトラックフレーム１７は，トラクタ１０の前進走行の際には，図３に示すように，地面から前進反力Ｐｆを受けることによって，走行機体１１に対して前方向に移動し，トラクタ１０の後退走行の際には，地面から後退反力Ｐｂを受けることによって，走行機体１１に対して後ろ方向に移動する。
【００４２】
前記トラックフレーム１７が，前記走行機体１１に対して前方向に移動するとき，前記前後一対のリンク部材１９，２０のうち前リンク部材１９は，その上端におけるトーション軸２７（上端枢着軸）を支点（中心）として水平面からの傾斜角度が小さくなるように倒れる方向に回動し，後リンク部材２０は，その上端におけるトーション軸２８（上端枢着軸）を支点（中心）として水平面からの傾斜角度が大きくなるように起立する方向に回動することにより，前上がりに傾斜する。
【００４３】
また，前記トラックフレーム１７が，前記走行機体１１に対して後方向に移動するとき，前記前後一対のリンク部材１９，２０のうち前リンク部材１９は，その上端におけるトーション軸２７（上端枢着軸）を支点（中心）として水平面からの傾斜角度が大きくなるように起立する方向に回動し，後リンク部材２０は，その上端におけるトーション軸２８（上端枢着軸）を支点（中心）として水平面からの傾斜角度が小さくなるように倒れる方向に回動することにより，後上がりに傾斜する。
【００４４】
これにより，前記トラックフレーム１７は，前記走行機体１１に対して，前進走行の際には前上がりに傾斜し，後退走行の際には後上がりに傾斜する。
【００４５】
前記トラックフレーム１７における前上がりへの傾斜動，及び後上がりへの傾斜動は，両リンク部材１９，２０の上端におけるトーション軸２７，２８を，その捩じり弾性に抗して捩じり変形することによって，弾性的に行なわれ，前進走行及び後退走行を停止すると，前記トラックフレーム１７は，前記両トーション軸２７，２８の捩じり弾性力にて元の位置に復帰する。
【００４６】
また，前記トラックフレーム１７と，前記後車軸ケース１４又はフランジ部１８等に走行機体１１との間には，前記トラックフレーム１７における前後移動を所定の距離に規制するための規制手段３２を設けている。
【００４７】
この規制手段３２は，例えば図示したように，前記後車軸ケース１４から下向きに延びるストッパーアーム３３の先端におけるピン３４を，前記トラックフレーム１７の上面に固着したストッパー板３５における長溝孔３６に摺動自在に嵌め係合するという構成であり，この規制手段３２としては，前記図示の構成に限らず，他の構成にすることができることはいうまでもない。
【００４８】
そして，前記走行機体１１のピッチングに際して，前記走行機体１１が，図６に二点鎖線で示すように，適宜の単位角度θ１（前記先行技術の場合と同様に，例えば，θ１＝１５度）だけその前部が下がるようにピッチングした場合，前記前後一対のリンク部材１９，２０のうち前リンク部材１９は，地面に接地している前記トラックフレーム１７に対して，当該前リンク部材１９における下端枢着軸３０を支点（中心）として水平面からの傾斜角度が小さくなるように倒れる方向に回動する一方，後リンク部材２０は，前記トラックフレーム１７に対して，当該後リンク部材２０の下端における支持軸２４（下端枢着軸）を支点（中心）として水平面からの傾斜角度が大きくなるように起立する方向に回動することにより，前記後車軸１５は，距離Ｅ１だけ後方に移動する。
【００４９】
また，前記走行機体１１が，図７に点線で示すように，適宜の単位角度θ２（前記先行技術の場合と同様に，例えば，θ２＝１５度）だけその前部が上がるようにピッチングした場合，前記前後一対のリンク部材１９，２０のうち前リンク部材１９は，地面に接地している前記トラックフレーム１７に対して，当該前リンク部材１９における下端枢着軸３０を支点（中心）として水平面からの傾斜角度が大きくなるように起立する方向に回動する一方，後リンク部材２０は，前記トラックフレーム１７に対して，当該後リンク部材２０の下端における支持軸２４（下端枢着軸）を支点（中心）として水平面からの傾斜角度が小さくなるように倒れる方向に回動することにより，前記後車軸１５は，距離Ｅ２だけ前方に移動する。
【００５０】
ところで，前記走行機体１１のうち両リンク部材１９，２０の上端におけるトーション軸２７，２８（上端枢着軸）の間の部分（フランジ部１８）と，前記前後一対のリンク部材１９，２０と，前記トラックフレーム１７とによって構成される四節リンク機構において，その一つの節である前記トラックフレーム１７がその長手方向に運動するときにおける「瞬間中心」は，前記前リンク部材１９における延長線１９′と，前記後リンク部材２０における延長線２０′とが互いに交わる交点Ｃに位置していて，前記トラックフレーム１７は，この「瞬間中心」を中心としてその長手方向に運動する。
【００５１】
この場合，前記前後一対のリンク部材１９，２０は，下広がりのハ字状に配設されていることにより，前記瞬間中心は，前記走行機体１１が単位角度θ１だけ前下がりにピッチングしたときには，図６に示すように，ＣからＣ′に移動し，前記走行機体１１が単位角度θ２だけ前上がりにピッチングしたときには，図７に示すように，ＣからＣ″に移動することになり，前記後車軸１５の高さに近似した高さの位置に保持することができる。
【００５２】
これにより，前記走行機体１１がピッチングする際に，当該走行機体１１が接地するトラックフレーム１７に対して前後移動する距離Ｅ１，Ｅ２を，図８に示す先行技術のように，後車軸１５よりも下方に位置する揺動支点軸を中心に回動する場合における前後移動距離Ｌ1,Ｌ２よりも，大幅に縮小することができる。
【００５３】
前記両リンク部材１９，２０の上端におけるトーション軸２７，２８は，前記走行機体１１のピッチングに対して弾性的に作用するものであり，また，前記規制手段３２も，前記走行機体１１のピッチングに対して作用することはいうまでない。
【００５４】
なお，前記図示の実施の形態は，前記前リンク部材１９及び後リンク部材２０における上端枢着軸の各々トーション軸２７，２８に構成した場合であったが，本発明は，これに限らず，前記前リンク部材１９及び後リンク部材２０における上端枢着軸のうちいずれか一方のみをトーション軸に構成しても良いことは勿論である。さらに、前後リンク部材１９，２０の上下端とも回動自在に構成することも可能である。
【符号の説明】
【００５５】
１０                  トラクタ
１１                  走行機体
１２                  前輪
１３                  後輪用クローラ走行装置
１４                  後車軸ケース
１５                  後車軸
１６                  駆動輪体
１７                  トラックフレーム
１８                  後車軸ケースのフランジ部
１９                  前リンク部材
２０                  後リンク部材
２１                  前従動輪体
２３                  後従動輪体
２４                  後従動輪体の支持軸（下端枢着軸）
２５                  無端帯状体
２７，２８            上端枢着軸（トーション軸）
３０                  下端枢着軸
３２                  規制手段
【図１】
0005457309.tif 000002
【図２】
0005457309.tif 000003
【図３】
0005457309.tif 000004
【図４】
0005457309.tif 000005
【図５】
0005457309.tif 000006
【図６】
0005457309.tif 000007
【図７】
0005457309.tif 000008
【図８】
0005457309.tif 000009